【手続補正書】
【提出日】平成26年3月28日(2014.3.28)
【手続補正１】
【補正対象書類名】特許請求の範囲
【補正対象項目名】全文
【補正方法】変更
【補正の内容】
【特許請求の範囲】
【請求項１】
圃場を走行する走行車体（２）
この走行車体（２）の後部にリンク機構（３）を介して昇降部材（４６）により昇降自在に設けられた苗植付部（４）
上記走行車体（２）の前部に設けられるとともに、予備の苗を積載する複数の予備苗載部材（３８ａ，３８ｂ，３８ｃ）と、これら複数の予備苗載部材（３８ａ，３８ｂ，３８ｃ）を回動自在に連結するリンク機構（３９ａ，３９ｂ，３９ｃ）を備え、このリンク機構（３９ａ，３９ｂ，３９ｃ）の動作により、上記複数の予備苗載部材（３８ａ，３８ｂ，３８ｃ）が前後一列に並んだ「展開状態」と、上下多段に並んだ「収納状態」に切替可能な予備苗枠（３８）
を設けた苗移植機において、
上記リンク機構（３９ａ，３９ｂ，３９ｃ）を動作させ、上記「展開状態」と上記「収納状態」に切り替える切替装置（３００）
を設け、
走行車体（２）に設けられ、リンク機構（３９ａ，３９ｂ，３９ｃ）の回動軸（ａｘ１，ａｘ２）を上部の取付支柱（４９ｐ１，４９ｐ２）により支持する支持フレーム（４９）
上記回動軸（ａｘ１，ａｘ２）を中心に上記リンク機構（３９ａ，３９ｂ，３９ｃ）を回動させる回動部材（３００ｇ）
この回動部材（３００ｇ）を回動させる切替アクチュエータ（３００ｍ）
この切替アクチュエータ（３００ｍ）の作動を任意の位置で停止させる停止位置調節部材
から切替装置（３００）を構成したことを特徴とする苗移植機。
【請求項２】
圃場を走行する走行車体（２）
この走行車体（２）の後部にリンク機構（３）を介して昇降部材（４６）により昇降自在に設けられた苗植付部（４）
を設けると共に、
上記走行車体（２）の前部に設けられるとともに、予備の苗を積載する複数の予備苗載部材（３８ａ，３８ｂ，３８ｃ）と、これら複数の予備苗載部材（３８ａ，３８ｂ，３８ｃ）を回動自在に連結するリンク機構（３９ａ，３９ｂ，３９ｃ）を備え、このリンク機構（３９ａ，３９ｂ，３９ｃ）の動作により、上記複数の予備苗載部材（３８ａ，３８ｂ，３８ｃ）が前後一列に並んだ「展開状態」と、上下多段に並んだ「収納状態」に切替可能な予備苗枠（３８）
を２つ設けた苗移植機において、
上記リンク機構（３９ａ，３９ｂ，３９ｃ）を動作させ、上記「展開状態」と上記「収納状態」に切り替える切替装置（３００）を設け、
２つの予備苗枠（３８）が連動して共に上記「展開状態」と上記「収納状態」に切り替わる構成としたことを特徴とする苗移植機。
【請求項３】
圃場を走行する走行車体（２）
この走行車体（２）の後部にリンク機構（３）を介して昇降部材（４６）により昇降自在に設けられた苗植付部（４）
上記走行車体（２）の前部に設けられるとともに、予備の苗を積載する複数の予備苗載部材（３８ａ，３８ｂ，３８ｃ）と、これら複数の予備苗載部材（３８ａ，３８ｂ，３８ｃ）を回動自在に連結するリンク機構（３９ａ，３９ｂ，３９ｃ）を備え、このリンク機構（３９ａ，３９ｂ，３９ｃ）の動作により、上記複数の予備苗載部材（３８ａ，３８ｂ，３８ｃ）が前後一列に並んだ「展開状態」と、上下多段に並んだ「収納状態」に切替可能な予備苗枠（３８）
を設けた苗移植機において、
上記リンク機構（３９ａ，３９ｂ，３９ｃ）を動作させ、上記「展開状態」と上記「収納状態」に切り替える切替装置（３００）
を設け、
走行車体（２）が走行中である場合は、制御装置（４００）が切替装置（３００）の切替アクチュエータ（３００ｍ）を作動させない
構成としたことを特徴とする苗移植機。
【請求項４】
圃場を走行する走行車体（２）
この走行車体（２）の後部にリンク機構（３）を介して昇降部材（４６）により昇降自在に設けられた苗植付部（４）
上記走行車体（２）の前部に設けられるとともに、予備の苗を積載する複数の予備苗載部材（３８ａ，３８ｂ，３８ｃ）と、これら複数の予備苗載部材（３８ａ，３８ｂ，３８ｃ）を回動自在に連結するリンク機構（３９ａ，３９ｂ，３９ｃ）を備え、このリンク機構（３９ａ，３９ｂ，３９ｃ）の動作により、上記複数の予備苗載部材（３８ａ，３８ｂ，３８ｃ）が前後一列に並んだ「展開状態」と、上下多段に並んだ「収納状態」に切替可能な予備苗枠（３８）
を設けた苗移植機において、
上記リンク機構（３９ａ，３９ｂ，３９ｃ）を動作させ、上記「展開状態」と上記「収納状態」に切り替える切替装置（３００）
を設け、
走行車体（２）の走行速度が一定速度以上である場合は、制御装置（４００）が切替装置（３００）の切替アクチュエータ（３００ｍ）を作動させない
構成としたことを特徴とする苗移植機。
【請求項５】
圃場を走行する走行車体（２）
この走行車体（２）の後部にリンク機構（３）を介して昇降部材（４６）により昇降自在に設けられた苗植付部（４）
上記走行車体（２）の前部に設けられるとともに、予備の苗を積載する複数の予備苗載部材（３８ａ，３８ｂ，３８ｃ）と、これら複数の予備苗載部材（３８ａ，３８ｂ，３８ｃ）を回動自在に連結するリンク機構（３９ａ，３９ｂ，３９ｃ）を備え、このリンク機構（３９ａ，３９ｂ，３９ｃ）の動作により、上記複数の予備苗載部材（３８ａ，３８ｂ，３８ｃ）が前後一列に並んだ「展開状態」と、上下多段に並んだ「収納状態」に切替可能な予備苗枠（３８）
を設けた苗移植機において、
上記リンク機構（３９ａ，３９ｂ，３９ｃ）を動作させ、上記「展開状態」と上記「収納状態」に切り替える切替装置（３００）
を設け、
走行車体（２）の後進時は、制御装置（４００）が切替装置（３００）の切替アクチュエータ（３００ｍ）を作動させない
構成としたことを特徴とする苗移植機。
【請求項６】
圃場を走行する走行車体（２）
この走行車体（２）の後部にリンク機構（３）を介して昇降部材（４６）により昇降自在に設けられた苗植付部（４）
上記走行車体（２）の前部に設けられるとともに、予備の苗を積載する複数の予備苗載部材（３８ａ，３８ｂ，３８ｃ）と、これら複数の予備苗載部材（３８ａ，３８ｂ，３８ｃ）を回動自在に連結するリンク機構（３９ａ，３９ｂ，３９ｃ）を備え、このリンク機構（３９ａ，３９ｂ，３９ｃ）の動作により、上記複数の予備苗載部材（３８ａ，３８ｂ，３８ｃ）が前後一列に並んだ「展開状態」と、上下多段に並んだ「収納状態」に切替可能な予備苗枠（３８）
を設けた苗移植機において、
上記リンク機構（３９ａ，３９ｂ，３９ｃ）を動作させ、上記「展開状態」と上記「収納状態」に切り替える切替装置（３００）
を設け、
苗植付部（４）の昇降動作に連動して制御装置（４００）が切替装置（３００）の切替アクチュエータ（３００ｍ）を作動させる
構成としたことを特徴とする苗移植機。
【請求項７】
圃場を走行する走行車体（２）
この走行車体（２）の後部にリンク機構（３）を介して昇降部材（４６）により昇降自在に設けられた苗植付部（４）
上記走行車体（２）の前部に設けられるとともに、予備の苗を積載する複数の予備苗載部材（３８ａ，３８ｂ，３８ｃ）と、これら複数の予備苗載部材（３８ａ，３８ｂ，３８ｃ）を回動自在に連結するリンク機構（３９ａ，３９ｂ，３９ｃ）を備え、このリンク機構（３９ａ，３９ｂ，３９ｃ）の動作により、上記複数の予備苗載部材（３８ａ，３８ｂ，３８ｃ）が前後一列に並んだ「展開状態」と、上下多段に並んだ「収納状態」に切替可能な予備苗枠（３８）
を設けた苗移植機において、
上記リンク機構（３９ａ，３９ｂ，３９ｃ）を動作させ、上記「展開状態」と上記「収納状態」に切り替える切替装置（３００）
を設け、
苗植付部（４）に載せた苗が無くなった、または苗植付部（４）に載せた苗の残量が僅かであることを「苗切れ」として検知する苗切れ検知部材（４０４）
を設け、
上記苗切れ検知部材（４０４）が上記「苗切れ」を検知すると、制御装置（４００）が切替装置（３００）の切替アクチュエータ（３００ｍ）を所定時間または所定回数作動させる
構成としたことを特徴とする苗移植機。
【請求項８】
圃場を走行する走行車体（２）
この走行車体（２）の後部にリンク機構（３）を介して昇降部材（４６）により昇降自在に設けられた苗植付部（４）
上記走行車体（２）の前部に設けられるとともに、予備の苗を積載する複数の予備苗載部材（３８ａ，３８ｂ，３８ｃ）と、これら複数の予備苗載部材（３８ａ，３８ｂ，３８ｃ）を回動自在に連結するリンク機構（３９ａ，３９ｂ，３９ｃ）を備え、このリンク機構（３９ａ，３９ｂ，３９ｃ）の動作により、上記複数の予備苗載部材（３８ａ，３８ｂ，３８ｃ）が前後一列に並んだ「展開状態」と、上下多段に並んだ「収納状態」に切替可能な予備苗枠（３８）
を設けた苗移植機において、
上記リンク機構（３９ａ，３９ｂ，３９ｃ）を動作させ、上記「展開状態」と上記「収納状態」に切り替える切替装置（３００）
を設け、
走行車体（２）の旋回動作を検出する旋回検出部材（４０５）
を設け、
上記旋回検出部材（４０５）が旋回動作を検出すると、予備苗枠（３８）が「収納状態」となる方向に制御装置（４００）が切替装置（３００）の切替アクチュエータ（３００ｍ）を作動させる
構成としたことを特徴とする苗移植機。
【請求項９】
取付支柱（４９ｐ１，４９ｐ２）に「作業姿勢」と「非作業姿勢」に切替自在であるとともに、「作業姿勢」で予備苗枠（３８）のリンク機構（３９ａ，３９ｂ，３９ｃ）による予備苗載部材（３８ａ，３８ｂ，３８ｃ）の移動領域内に配置された補助苗載部材（４０８）
この補助苗載部材（４０８）が「作業姿勢」かどうかを検知する姿勢検知部材（４０９）
を設け、
上記姿勢検知部材（４０９）が「作業姿勢」を検知している場合は、制御装置（４００）が切替装置（３００）の切替アクチュエータ（３００ｍ）を作動させない構成としたことを特徴とする請求項１〜８のいずれか１項に記載の苗移植機。
【手続補正２】
【補正対象書類名】明細書
【補正対象項目名】０００６
【補正方法】変更
【補正の内容】
【０００６】
請求項１記載の発明に係る苗移植機は、
圃場を走行する走行車体（２）
この走行車体（２）の後部にリンク機構（３）を介して昇降部材（４６）により昇降自在に設けられた苗植付部（４）
上記走行車体（２）の前部に設けられるとともに、予備の苗を積載する複数の予備苗載部材（３８ａ，３８ｂ，３８ｃ）と、これら複数の予備苗載部材（３８ａ，３８ｂ，３８ｃ）を回動自在に連結するリンク機構（３９ａ，３９ｂ，３９ｃ）を備え、このリンク機構（３９ａ，３９ｂ，３９ｃ）の動作により、上記複数の予備苗載部材（３８ａ，３８ｂ，３８ｃ）が前後一列に並んだ「展開状態」と、上下多段に並んだ「収納状態」に切替可能な予備苗枠（３８）
を設けた苗移植機において、
上記リンク機構（３９ａ，３９ｂ，３９ｃ）を動作させ、上記「展開状態」と上記「収納状態」に切り替える切替装置（３００）
を設け、
走行車体（２）に設けられ、リンク機構（３９ａ，３９ｂ，３９ｃ）の回動軸（ａｘ１，ａｘ２）を上部の取付支柱（４９ｐ１，４９ｐ２）により支持する支持フレーム（４９）
上記回動軸（ａｘ１，ａｘ２）を中心に上記リンク機構（３９ａ，３９ｂ，３９ｃ）を回動させる回動部材（３００ｇ）
この回動部材（３００ｇ）を回動させる切替アクチュエータ（３００ｍ）
この切替アクチュエータ（３００ｍ）の作動を任意の位置で停止させる停止位置調節部材
から切替装置（３００）を構成したことを特徴とするものである。
【手続補正３】
【補正対象書類名】明細書
【補正対象項目名】０００７
【補正方法】変更
【補正の内容】
【０００７】
請求項２記載の発明に係る苗移植機は、
圃場を走行する走行車体（２）
この走行車体（２）の後部にリンク機構（３）を介して昇降部材（４６）により昇降自在に設けられた苗植付部（４）
を設けると共に、
上記走行車体（２）の前部に設けられるとともに、予備の苗を積載する複数の予備苗載部材（３８ａ，３８ｂ，３８ｃ）と、これら複数の予備苗載部材（３８ａ，３８ｂ，３８ｃ）を回動自在に連結するリンク機構（３９ａ，３９ｂ，３９ｃ）を備え、このリンク機構（３９ａ，３９ｂ，３９ｃ）の動作により、上記複数の予備苗載部材（３８ａ，３８ｂ，３８ｃ）が前後一列に並んだ「展開状態」と、上下多段に並んだ「収納状態」に切替可能な予備苗枠（３８）
を２つ設けた苗移植機において、
上記リンク機構（３９ａ，３９ｂ，３９ｃ）を動作させ、上記「展開状態」と上記「収納状態」に切り替える切替装置（３００）を設け、
２つの予備苗枠（３８）が連動して共に上記「展開状態」と上記「収納状態」に切り替わる構成としたことを特徴とするものである。
【手続補正４】
【補正対象書類名】明細書
【補正対象項目名】０００８
【補正方法】変更
【補正の内容】
【０００８】
請求項３記載の発明に係る苗移植機は、
圃場を走行する走行車体（２）
この走行車体（２）の後部にリンク機構（３）を介して昇降部材（４６）により昇降自在に設けられた苗植付部（４）
上記走行車体（２）の前部に設けられるとともに、予備の苗を積載する複数の予備苗載部材（３８ａ，３８ｂ，３８ｃ）と、これら複数の予備苗載部材（３８ａ，３８ｂ，３８ｃ）を回動自在に連結するリンク機構（３９ａ，３９ｂ，３９ｃ）を備え、このリンク機構（３９ａ，３９ｂ，３９ｃ）の動作により、上記複数の予備苗載部材（３８ａ，３８ｂ，３８ｃ）が前後一列に並んだ「展開状態」と、上下多段に並んだ「収納状態」に切替可能な予備苗枠（３８）
を設けた苗移植機において、
上記リンク機構（３９ａ，３９ｂ，３９ｃ）を動作させ、上記「展開状態」と上記「収納状態」に切り替える切替装置（３００）
を設け、
走行車体（２）が走行中である場合は、制御装置（４００）が切替装置（３００）の切替アクチュエータ（３００ｍ）を作動させない
構成としたことを特徴とするものである。
【手続補正５】
【補正対象書類名】明細書
【補正対象項目名】０００９
【補正方法】変更
【補正の内容】
【０００９】
請求項４記載の発明に係る苗移植機は、
圃場を走行する走行車体（２）
この走行車体（２）の後部にリンク機構（３）を介して昇降部材（４６）により昇降自在に設けられた苗植付部（４）
上記走行車体（２）の前部に設けられるとともに、予備の苗を積載する複数の予備苗載部材（３８ａ，３８ｂ，３８ｃ）と、これら複数の予備苗載部材（３８ａ，３８ｂ，３８ｃ）を回動自在に連結するリンク機構（３９ａ，３９ｂ，３９ｃ）を備え、このリンク機構（３９ａ，３９ｂ，３９ｃ）の動作により、上記複数の予備苗載部材（３８ａ，３８ｂ，３８ｃ）が前後一列に並んだ「展開状態」と、上下多段に並んだ「収納状態」に切替可能な予備苗枠（３８）
を設けた苗移植機において、
上記リンク機構（３９ａ，３９ｂ，３９ｃ）を動作させ、上記「展開状態」と上記「収納状態」に切り替える切替装置（３００）
を設け、
走行車体（２）の走行速度が一定速度以上である場合は、制御装置（４００）が切替装置（３００）の切替アクチュエータ（３００ｍ）を作動させない
構成としたことを特徴とするものである。
【手続補正６】
【補正対象書類名】明細書
【補正対象項目名】００１０
【補正方法】変更
【補正の内容】
【００１０】
請求項５記載の発明に係る苗移植機は、
圃場を走行する走行車体（２）
この走行車体（２）の後部にリンク機構（３）を介して昇降部材（４６）により昇降自在に設けられた苗植付部（４）
上記走行車体（２）の前部に設けられるとともに、予備の苗を積載する複数の予備苗載部材（３８ａ，３８ｂ，３８ｃ）と、これら複数の予備苗載部材（３８ａ，３８ｂ，３８ｃ）を回動自在に連結するリンク機構（３９ａ，３９ｂ，３９ｃ）を備え、このリンク機構（３９ａ，３９ｂ，３９ｃ）の動作により、上記複数の予備苗載部材（３８ａ，３８ｂ，３８ｃ）が前後一列に並んだ「展開状態」と、上下多段に並んだ「収納状態」に切替可能な予備苗枠（３８）
を設けた苗移植機において、
上記リンク機構（３９ａ，３９ｂ，３９ｃ）を動作させ、上記「展開状態」と上記「収納状態」に切り替える切替装置（３００）
を設け、
走行車体（２）の後進時は、制御装置（４００）が切替装置（３００）の切替アクチュエータ（３００ｍ）を作動させない
構成としたことを特徴とするものである。
【手続補正７】
【補正対象書類名】明細書
【補正対象項目名】００１１
【補正方法】変更
【補正の内容】
【００１１】
請求項６記載の発明に係る苗移植機は、
圃場を走行する走行車体（２）
この走行車体（２）の後部にリンク機構（３）を介して昇降部材（４６）により昇降自在に設けられた苗植付部（４）
上記走行車体（２）の前部に設けられるとともに、予備の苗を積載する複数の予備苗載部材（３８ａ，３８ｂ，３８ｃ）と、これら複数の予備苗載部材（３８ａ，３８ｂ，３８ｃ）を回動自在に連結するリンク機構（３９ａ，３９ｂ，３９ｃ）を備え、このリンク機構（３９ａ，３９ｂ，３９ｃ）の動作により、上記複数の予備苗載部材（３８ａ，３８ｂ，３８ｃ）が前後一列に並んだ「展開状態」と、上下多段に並んだ「収納状態」に切替可能な予備苗枠（３８）
を設けた苗移植機において、
上記リンク機構（３９ａ，３９ｂ，３９ｃ）を動作させ、上記「展開状態」と上記「収納状態」に切り替える切替装置（３００）
を設け、
苗植付部（４）の昇降動作に連動して制御装置（４００）が切替装置（３００）の切替アクチュエータ（３００ｍ）を作動させる
構成としたことを特徴とするものである。
【手続補正８】
【補正対象書類名】明細書
【補正対象項目名】００１２
【補正方法】変更
【補正の内容】
【００１２】
請求項７記載の発明に係る苗移植機は、
圃場を走行する走行車体（２）
この走行車体（２）の後部にリンク機構（３）を介して昇降部材（４６）により昇降自在に設けられた苗植付部（４）
上記走行車体（２）の前部に設けられるとともに、予備の苗を積載する複数の予備苗載部材（３８ａ，３８ｂ，３８ｃ）と、これら複数の予備苗載部材（３８ａ，３８ｂ，３８ｃ）を回動自在に連結するリンク機構（３９ａ，３９ｂ，３９ｃ）を備え、このリンク機構（３９ａ，３９ｂ，３９ｃ）の動作により、上記複数の予備苗載部材（３８ａ，３８ｂ，３８ｃ）が前後一列に並んだ「展開状態」と、上下多段に並んだ「収納状態」に切替可能な予備苗枠（３８）
を設けた苗移植機において、
上記リンク機構（３９ａ，３９ｂ，３９ｃ）を動作させ、上記「展開状態」と上記「収納状態」に切り替える切替装置（３００）
を設け、
苗植付部（４）に載せた苗が無くなった、または苗植付部（４）に載せた苗の残量が僅かであることを「苗切れ」として検知する苗切れ検知部材（４０４）
を設け、
上記苗切れ検知部材（４０４）が上記「苗切れ」を検知すると、制御装置（４００）が切替装置（３００）の切替アクチュエータ（３００ｍ）を所定時間または所定回数作動させる
構成としたことを特徴とするものである。
【手続補正９】
【補正対象書類名】明細書
【補正対象項目名】００１３
【補正方法】変更
【補正の内容】
【００１３】
請求項８記載の発明に係る苗移植機は、
圃場を走行する走行車体（２）
この走行車体（２）の後部にリンク機構（３）を介して昇降部材（４６）により昇降自在に設けられた苗植付部（４）
上記走行車体（２）の前部に設けられるとともに、予備の苗を積載する複数の予備苗載部材（３８ａ，３８ｂ，３８ｃ）と、これら複数の予備苗載部材（３８ａ，３８ｂ，３８ｃ）を回動自在に連結するリンク機構（３９ａ，３９ｂ，３９ｃ）を備え、このリンク機構（３９ａ，３９ｂ，３９ｃ）の動作により、上記複数の予備苗載部材（３８ａ，３８ｂ，３８ｃ）が前後一列に並んだ「展開状態」と、上下多段に並んだ「収納状態」に切替可能な予備苗枠（３８）
を設けた苗移植機において、
上記リンク機構（３９ａ，３９ｂ，３９ｃ）を動作させ、上記「展開状態」と上記「収納状態」に切り替える切替装置（３００）
を設け、
走行車体（２）の旋回動作を検出する旋回検出部材（４０５）
を設け、
上記旋回検出部材（４０５）が旋回動作を検出すると、予備苗枠（３８）が「収納状態」となる方向に制御装置（４００）が切替装置（３００）の切替アクチュエータ（３００ｍ）を作動させる
構成としたことを特徴とするものである。
【手続補正１０】
【補正対象書類名】明細書
【補正対象項目名】００１５
【補正方法】変更
【補正の内容】
【００１５】
以上のように、請求項１から請求項９に記載の発明によれば、切替装置（３００）を作動させると予備苗枠（３８）を自動的に「展開状態」と「収納状態」とに切り替えることができるので、作業者が手作業で切り替えを行う必要がなく、作業能率が向上するという効果が得られる。
そして、請求項１記載の発明によれば、切替アクチュエータ（３００ｍ）の作動を停止位置調節部材により任意の位置で停止させることができるので、予備苗枠（３８）を「展開状態」と「収納状態」との動作途中で停止させ、予備苗枠（３８）の端部が圃場端にぶつからない程度に予備苗枠（３８）を「展開状態」に近い状態に移動することにより、予備苗枠（３８）の破損を防止しつつ苗の積み込みを容易にすることができるという効果が得られる。
【手続補正１１】
【補正対象書類名】明細書
【補正対象項目名】００１６
【補正方法】変更
【補正の内容】
【００１６】
請求項２記載の発明によれば、２つの予備苗枠（３８）が連動して共に上記「展開状態」と上記「収納状態」に切り替わるので、利便性が向上する。
【手続補正１２】
【補正対象書類名】明細書
【補正対象項目名】００１７
【補正方法】変更
【補正の内容】
【００１７】
請求項３記載の本発明によれば、走行車体（２）が走行中であるときは、切替装置（３００）の切替アクチュエータ（３００ｍ）を作動させないことにより、走行中や植付作業中に予備苗枠（３８）が作動してしまうことを防止できるので、予備苗枠（３８）が作業者や圃場端で苗の補給を行なう補助作業者は予備苗枠（３８）の軌道上から退避する必要がなく、作業能率が向上する。
また、予備苗枠（３８）が圃場端に接触して破損することを防止できるので、機体の耐久性が向上すると共に、積載した苗が圃場に落下することが防止されるので、作業者が落ちた苗を拾い集める作業が省略され、作業能率が向上する。
【手続補正１３】
【補正対象書類名】明細書
【補正対象項目名】００１８
【補正方法】変更
【補正の内容】
【００１８】
請求項４記載の発明によれば、走行速度が一定速度以上である場合には、切替装置（３００）の切替アクチュエータ（３００ｍ）を作動させないことにより、低速走行中や植付作業中には切替装置（３００）の切替アクチュエータ（３００ｍ）を作動させられるため、苗の補給のために圃場端に向かう間に予備苗枠（３８）を「展開状態」とすることができるとともに、苗の補給を終えると移動しながら予備苗枠（３８）を「収納状態」とすることができるので、苗の補給作業が短時間で終えられるため、作業能率が向上するという効果が得られる。
また、高速走行中や植付作業中には予備苗枠（３８）の操作を受け付けないことにより、作業者や補助作業者は予備苗枠（３８）の軌道上から退避する必要がなく、作業能率が向上する。
そして、高速走行中や植付作業中に予備苗枠（３８）が「展開状態」及び「収納状態」に切り替わらないことにより、予備苗枠（３８）の重心位置が移動して走行車体（２）全体の重心が変化することを防止できるので、機体の走行方向が乱れることが防止され、高速時の移動能率が向上すると共に、植付作業時の苗の植付精度が向上する。